(57)【要約】【課題】  児童に何らかの異変が発生した可能性を保護者に通知することで、保護者に注意を喚起する児童防犯通報システムを提供する。【解決手段】  行動情報登録装置２は、データサーバ６に、児童ＩＤと児童の行動予定データを登録する。児童が自宅を出発して学校に向かう場合、無線読み取り装置３は、無線タグ装置１から児童ＩＤを読み取り、児童ＩＤと現在の時刻すなわち登校開始時刻をデータサーバ６に送信する。データサーバ６は、行動予定データと登校開始時刻から、児童の登校完了予想時刻を計算する。児童が学校に到着すると、無線読み取り装置５は、無線タグ装置１から児童ＩＤを読み取り、児童ＩＤと現在の時刻すなわち登校完了時刻をデータサーバ６に送信する。仮に、登校完了予想時刻を超えて所定の時間経過しても児童ＩＤと登校完了時刻を受信しない場合、保護者に緊急通知を送信する。下校の場合にも同様な処理が行われる。【選択図】  図１
2005182469.tif 000002
【特許請求の範囲】
【請求項１】
児童の学校への到着または未到着を前記児童の保護者に自動的に通報する児童防犯通報方法であって、
第１の端末装置が、前記保護者によって入力された、前記児童を識別するためのＩＤと前記児童の登校の際の行動予定データを、ネットワークを介して、前記学校に備えられたサーバ装置に登録するステップと、
前記児童の自宅に備えられた第１の無線読み取り装置が、前記児童が前記自宅から登校を開始する際に前記第１の無線読み取り装置を通過したとき、前記児童が登校時に身につける所持品に取り付けられた無線タグ装置から前記ＩＤを読み出し、前記ＩＤと現在の時刻すなわち登校開始時刻を、前記ネットワークを介して前記サーバ装置に送信するステップと、
前記サーバ装置が、前記行動予定データと前記登校開始時刻から、前記児童の登校完了予想時刻を計算するステップと、
前記学校に備えられた第２の無線読み取り装置が、前記児童が前記学校に到着して登校を完了する際に前記第２の無線読み取り装置を通過したとき、前記無線タグ装置から前記ＩＤを読み出し、前記ＩＤと現在の時刻すなわち登校完了時刻を、前記ネットワークを介して前記サーバ装置に送信するステップと、
前記サーバ装置が、前記ＩＤと前記登校完了時刻を受信すると、前記児童が登校を完了した旨の通報を、前記ネットワークを介して、前記保護者が所持する第２の端末装置に送信するステップと、
前記サーバ装置が、前記登校完了予想時刻を超えて所定の時間経過しても前記ＩＤと前記登校完了時刻を受信しない場合、前記児童がいまだ登校を完了していな旨の通報を、前記ネットワークを介して前記第２の端末装置に送信するステップを有する児童防犯通報方法。
【請求項２】
児童の自宅への到着または未到着を前記児童の保護者に自動的に通報する児童防犯通報方法であって、
第１の端末装置が、前記保護者によって入力された、前記児童を識別するためのＩＤと前記児童の下校の際の行動予定データを、ネットワークを介して、前記児童の通う学校に備えられたサーバ装置に登録するステップと、
前記学校に備えられた第１の無線読み取り装置が、前記児童が前記学校から下校を開始する際に前記第１の無線読み取り装置を通過したとき、前記児童が下校時に身につける所持品に取り付けられた無線タグ装置から前記ＩＤを読み出し、前記ＩＤと現在の時刻すなわち下校開始時刻を、前記ネットワークを介して前記サーバ装置に送信するステップと、
前記サーバ装置が、前記行動予定データと前記下校開始時刻から、前記児童の下校完了予想時刻を計算するステップと、
前記自宅に備えられた第２の無線読み取り装置が、前記児童が前記自宅に到着して下校を完了する際に前記第２の無線読み取り装置を通過したとき、前記無線タグ装置から前記ＩＤを読み出し、前記ＩＤと現在の時刻すなわち下校完了時刻を、前記ネットワークを介して前記サーバ装置に送信するステップと、
前記サーバ装置が、前記ＩＤと前記下校完了時刻を受信すると、前記児童が下校を完了した旨の通報を、前記ネットワークを介して、前記保護者が所持する第２の端末装置に送信するステップと、
前記サーバ装置が、前記下校完了予想時刻を超えて所定の時間経過しても前記ＩＤと前記下校完了時刻を受信しない場合、前記児童がいまだ下校を完了していな旨の通報を、前記ネットワークを介して前記第２の端末装置に送信するステップを有する児童防犯通報方法。
【請求項３】
ネットワークを介して、前記児童を識別するためのＩＤと児童の登校の際の行動予定データの登録を受け付けるステップと、
前記ネットワークを介して、前記ＩＤと前記児童の登校開始時刻を受信するステップと、
前記行動予定データと前記登校開始時刻から、前記児童の登校完了予想時刻を計算するステップと、
前記ネットワークを介して、前記ＩＤと前記児童の登校完了時刻を受信するステップと、
前記ＩＤと前記登校完了時刻を受信すると、前記児童が登校を完了した旨の通報を、前記ネットワークを介して、前記児童の保護者が所持する端末装置に送信するステップと、
前記登校完了予想時刻を超えて所定の時間経過しても前記ＩＤと前記登校完了時刻を受信しない場合、前記児童がいまだ登校を完了していない旨の通報を、前記ネットワークを介して前記端末装置に送信するステップをコンピュータに実行させるプログラム。
【請求項４】
ネットワークを介して、前記児童を識別するためのＩＤと児童の下校の際の行動予定データの登録を受け付けるステップと、
前記ネットワークを介して、前記ＩＤと前記児童の下校開始時刻を受信するステップと、
前記行動予定データと前記下校開始時刻から、前記児童の下校完了予想時刻を計算するステップと、
前記ネットワークを介して、前記ＩＤと前記児童の下校完了時刻を受信するステップと、
前記ＩＤと前記下校完了時刻を受信すると、前記児童が下校を完了した旨の通報を、前記ネットワークを介して、前記児童の保護者が所持する端末装置に送信するステップと、
前記下校完了予想時刻を超えて所定の時間経過しても前記ＩＤと前記下校完了時刻を受信しない場合、前記児童がいまだ下校を完了していない旨の通報を、前記ネットワークを介して前記端末装置に送信するステップをコンピュータに実行させるプログラム。
【請求項５】
請求項３に記載のプログラムを記録した、コンピュータ読み取りが可能な記録媒体。
【請求項６】
請求項４に記載のプログラムを記録した、コンピュータ読み取りが可能な記録媒体。
【請求項７】
児童の通う学校に備えられたサーバ装置において、
ネットワークを介して、前記児童を識別するためのＩＤと前記児童の登校の際の行動予定データの登録を受け付ける手段と、
前記ネットワークを介して、前記ＩＤと前記児童の登校開始時刻を受信する手段と、
前記行動予定データと前記登校開始時刻から、前記児童の登校完了予想時刻を計算する手段と、
前記ネットワークを介して、前記ＩＤと前記児童の登校完了時刻を受信する手段と、
前記ＩＤと前記登校完了時刻を受信すると、前記児童が登校を完了した旨の通報を、前記ネットワークを介して、前記児童の保護者が所持する端末装置に送信する手段と、
前記登校完了予想時刻を超えて所定の時間経過しても前記ＩＤと前記登校完了時刻を受信しない場合、前記児童がいまだ登校を完了していない旨の通報を、前記ネットワークを介して前記端末装置に送信する手段を有することを特徴とするサーバ装置。
【請求項８】
児童の通う学校に備えられたサーバ装置において、
ネットワークを介して、前記児童を識別するためのＩＤと前記児童の下校の際の行動予定データの登録を受け付ける手段と、
前記ネットワークを介して、前記ＩＤと前記児童の下校開始時刻を受信する手段と、
前記行動予定データと前記下校開始時刻から、前記児童の下校完了予想時刻を計算する手段と、
前記ネットワークを介して、前記ＩＤと前記児童の下校完了時刻を受信する手段と、
前記ＩＤと前記下校完了時刻を受信すると、前記児童が下校を完了した旨の通報を、前記ネットワークを介して、前記児童の保護者が所持する端末装置に送信する手段と、
前記下校完了予想時刻を超えて所定の時間経過しても前記ＩＤと前記下校完了時刻を受信しない場合、前記児童がいまだ下校を完了していない旨の通報を、前記ネットワークを介して前記端末装置に送信する手段を有することを特徴とするサーバ装置。
【請求項９】
児童の学校への到着または未到着を前記児童の保護者に自動的に通報する児童防犯通報システムであって、
請求項７に記載のサーバ装置と、
前記サーバ装置に、前記保護者の入力によって、前記ＩＤと前記行動予定データの登録を行う第１の端末装置と、
前記児童が登校時に身につける所持品に取り付けられ、前記ＩＤを記憶している無線タグ装置と、
前記児童の自宅に備えられ、前記無線タグ装置から前記ＩＤを読み取り、前記サーバ装置に、前記ＩＤと前記登校開始時刻を送信する第１の無線読み取り装置と、
前記学校に備えられ、前記無線タグ装置から前記ＩＤを読み取り、前記サーバ装置に、前記ＩＤと前記登校完了時刻を送信する第２の無線読み取り装置と、
前記保護者によって所持され、前記サーバ装置から前記通報を受信する第２の端末装置を有するシステム。
【請求項１０】
児童の自宅への到着または未到着を前記児童の保護者に自動的に通報する児童防犯通報システムであって、
請求項８に記載のサーバ装置と、
前記サーバ装置に、前記保護者の入力によって、前記ＩＤと前記行動予定データの登録を行う第１の端末装置と、
前記児童が下校時に身につける所持品に取り付けられ、前記ＩＤを記憶している無線タグ装置と、
前記児童が通う学校に備えられ、前記無線タグ装置から前記ＩＤを読み取り、前記サーバ装置に、前記ＩＤと前記下校開始時刻を送信する第１の無線読み取り装置と、
前記自宅に備えられ、前記無線タグ装置から前記ＩＤを読み取り、前記サーバ装置に、前記ＩＤと前記下校完了時刻を送信する第２の無線読み取り装置と、
前記保護者によって所持され、前記サーバ装置から前記通報を受信する第２の端末装置を有するシステム。
【請求項１１】
前記所持品は安全帽である、請求項９または１０に記載のシステム。
【請求項１２】
前記無線タグ装置はＲＦＩＤであり、前記第１および第２の無線読み取り装置はＲＦリーダである、請求項９から１１のいずれか１項に記載のシステム。
【発明の詳細な説明】
【技術分野】
【０００１】
本発明は、児童の防犯対策技術に関する。
【背景技術】
【０００２】
近年、児童を対象とした事件が多発している。児童の誘拐および誘拐未遂事件は、特に増加の傾向が著しい。児童の登下校時における防犯対策として、学校職員やＰＴＡ会員が通学路の見回りを行ったり、地方自治体が、児童が通学路に面した家へ駆け込める体制を整えたりしている。また、児童に集団下校を指導したり、身の危険を感じたときに大音量で危険を知らせる防犯ブザーを携帯させたりすることも多い。安全の確保が最も必要な小学校新入学児童には、黄色い「安全帽」や「ランドセルカバー」を支給する地方自治体もある。
【０００３】
かかる児童の防犯対策の一貫として、ＩＣカードまたはＩＣタグを用いて、児童が学校や塾に到着または学校や塾を出発したことを保護者に自動的に知らせる技術が提案されている（例えば、特許文献１、２参照）。
【特許文献１】特開２００３−２３６６６号公報の段落０１４９〜０１５５および図２０〜２１
【特許文献２】特開２００２−２６１９６９号公報
【発明の開示】
【発明が解決しようとする課題】
【０００４】
しかしながら、上記特許文献１、２に記載の発明は、児童が学校や塾に到着または学校や塾を出発した旨の通知を行うのみである。したがって、もし児童が学校や塾に到着しない場合には、保護者自身が、児童が自宅を出発してから常識的な時間を経過しても通知が来ないことを判断して、児童に何か異変があったことに気づかなければならない。また、もし児童が自宅に到着しない場合には、保護者自身が、児童が学校や塾を出発した旨の通知を受けてから常識的な時間を経過しても帰宅しないことを判断して、児童に何か異変があったことに気づかなければならない。
【０００５】
したがって、例えば、前者では、保護者が通知の存在を不注意で忘れてしまった場合には、後者では、保護者が自宅におらず、児童が帰宅したことの確認を不注意で忘れってしまった場合には、仮に児童が犯罪に巻き込まれていたとすると、捜査の第一歩が遅れてしまうことになりかねない。
【０００６】
また、児童が下校途中に習い事などで別の場所に立ち寄ることになっている場合、保護者がこのことを不注意ですっかり忘れてしまうと、児童が学校や塾を出発した旨の通知を受けてから常識的な時間を経過しても児童が帰宅しないことにより、保護者は無用な不安を抱いたり、場合によっては、捜査機関に通報してしまって、とんだ赤っ恥をかくことになったりしかねない。
【０００７】
つまり、上記特許文献１、２に記載の発明は、児童の防犯対策として、保護者の注意力に委ねられている部分が依然として多いと言える。
【０００８】
そこで、本発明の目的は、保護者の注意力に委ねられている部分を減らすため、児童に何らかの異変が発生した可能性を保護者に通知することで、保護者に注意を喚起する児童防犯通報方法を提供することにある。
【課題を解決するための手段】
【０００９】
上記目的を達成するために、本発明は、登下校の際の児童の所持品（安全帽など）に、児童ＩＤを記憶している無線タグ装置を取り付ける。また、児童の自宅に、この無線タグ装置から児童ＩＤを読み取る無線読み取り装置を備える。さらに、児童の通う学校に、この無線タグ装置から児童ＩＤを読み取る無線読み取り装置を備える。
【００１０】
保護者は、端末装置を利用して、学校に備えられたサーバ装置に、児童ＩＤと児童の登下校の際の行動予定データを登録する。
【００１１】
児童は、自宅を出発するとき、自宅に備えられた無線読み取り装置を通過する。その際、無線読み取り装置は、無線タグ装置から児童ＩＤを読み取る。無線読み取り装置は、読み取った児童ＩＤと、児童ＩＤを読み取った時刻すなわち登校開始時刻を、サーバ装置に送信する。
【００１２】
サーバ装置は、登録された行動予定データと受信した登校開始時刻から、児童の登校完了予想時刻を計算する。
【００１３】
児童は、学校に到着すると、学校に備えられた無線読み取り装置を通過する。その際、無線読み取り装置は、無線タグ装置から児童ＩＤを読み取る。無線読み取り装置は、読み取った児童ＩＤと、児童ＩＤを読み取った時刻すなわち登校完了時刻を、サーバ装置に送信する。
【００１４】
サーバ装置は、児童ＩＤと登校完了時刻を受信すると、保護者の所持する端末装置に、登校完了を通報する。サーバ装置は、登校完了予想時刻を超えて所定の時間経過しても児童ＩＤと登校完了時刻を受信しない場合、保護者の所持する端末装置に、登校未了を通報する。
【００１５】
児童は、学校を出発するとき、学校に備えられた無線読み取り装置を通過する。その際、無線読み取り装置は、無線タグ装置から児童ＩＤを読み取る。無線読み取り装置は、読み取った児童ＩＤと、児童ＩＤを読み取った時刻すなわち下校開始時刻を、サーバ装置に送信する。
【００１６】
サーバ装置は、登録された行動予定データと受信した下校開始時刻から、児童の下校完了予想時刻を計算する。
【００１７】
児童は、自宅に到着すると、自宅に備えられた無線読み取り装置を通過する。その際、無線読み取り装置は、無線タグ装置から児童ＩＤを読み取る。無線読み取り装置は、読み取った児童ＩＤと、児童ＩＤを読み取った時刻すなわち下校完了時刻を、サーバ装置に送信する。
【００１８】
サーバ装置は、児童ＩＤと下校完了時刻を受信すると、保護者の所持する端末装置に、下校完了を通報する。サーバ装置は、下校完了予想時刻を超えて所定の時間経過しても児童ＩＤと下校完了時刻を受信しない場合、保護者の所持する端末装置に、下校未了を通報する。
【発明の効果】
【００１９】
以上説明したように、本発明によれば、児童の行動予定から計算された登校完了予想時刻を超えて所定の時間経過しても登校未了、または、児童の行動予定から計算された下校完了予想時刻を超えて所定の時間経過しても下校未了の場合にも保護者に対する通報を行うので、児童の防犯に関し、適切なタイミングで保護者に注意を喚起することができる。
【発明を実施するための最良の形態】
【００２０】
次に、本発明の実施の形態について、図面を参照して詳細に説明する。
【００２１】
図１を参照すると、本発明の一実施形態の児童防犯通報システムは、無線タグ装置１と、行動情報登録装置２と、無線読み取り装置３と、ネットワーク４と、無線読み取り装置５と、データサーバ６と、通報先端末７を含む。
【００２２】
無線タグ装置１は、児童の安全帽などに取り付けられる。無線タグ装置１の取り付け場所は、安全帽のほか、下履きやランドセルなど、児童が登下校時に身につけるものであればなんでもよい。無線タグ装置１は、児童を特定するための識別子（以下、児童ＩＤ）を記憶している。児童ＩＤは、無線読み取り装置３と無線読み取り装置５によって読み取られる。無線タグ装置１は、例えば、ＲＦＩＤ（Ｒａｄｉｏ Ｆｒｅｑｕｅｎｃｙ Ｉｄｅｎｔｉｆｉｃａｔｉｏｎ）である。
【００２３】
行動情報登録装置２は、児童の保護者の入力により、児童ＩＤと児童の行動予定を、ネットワーク４を介してデータサーバ６に送信する。行動情報登録装置２は、例えば、自宅に設置されたＰＣ端末、または、保護者が携帯する携帯端末である。行動予定については、データサーバ６の説明の箇所で説明する。
【００２４】
無線読み取り装置３は、児童の自宅の玄関などに設置されている。無線読み取り装置３の設置場所は、玄関のほか、児童が自宅を出入りする際に必ず通過するところであればどこでもよい。無線読み取り装置３は、児童が無線読み取り装置３を通過すると、児童の安全帽などに取り付けられた無線タグ装置１から、児童ＩＤを読み取る。読み取った児童ＩＤは、児童ＩＤを読み取った時刻（すなわち、児童の登校開始時刻または下校完了時刻）とともに、ネットワーク４を介してデータサーバ６に送信される。無線読み取り装置３は、例えば、ＲＦリーダである。
【００２５】
ネットワーク４は、行動情報登録装置２と、無線読み取り装置３と、無線読み取り装置５と、データサーバ６と、通報先端末７を相互接続するネットワークである。
【００２６】
無線読み取り装置５は、児童の通う学校の校門などに設置される。無線読み取り装置５の設置場所は、校門のほか、児童が学校に出入りする際に必ず通過するところであればどこでもよい。無線読み取り装置５は、児童が無線読み取り装置５を通過すると、児童の安全帽などに取り付けられた無線タグ装置１から、児童ＩＤを読み取る。読み取った児童ＩＤは、児童ＩＤを読み取った時刻（すなわち、児童の登校完了時刻または下校開始時刻）とともに、データサーバ６に送信される。無線読み取り装置５は、例えば、ＲＦリーダである。
【００２７】
データサーバ６は、児童の通う学校に設置される。データサーバ６の設置場所は、学校の職員室が望ましい。なぜなら、教師による児童の登下校確認が容易に行え、保護者および教師は、迅速な児童の安否確認活動が行えるからである。
【００２８】
データサーバ６は、行動情報登録装置２から、ネットワーク４を介して、児童ＩＤと児童の行動予定を受信する。また、データサーバ６は、無線読み取り装置３から、ネットワーク４を介して、児童ＩＤと登校開始時刻または下校完了時刻を受信し、無線読み取り装置５から、ネットワーク４を介して、児童ＩＤと登校完了時刻または下校開始時刻を受信する。さらに、データサーバ６は、行動情報登録装置２から受信した行動予定と、無線読み取り装置３から受信した登校開始時刻から、登校完了予想時刻を計算し、行動情報登録装置２から受信した行動予定と、無線読み取り装置５から受信した下校開始時刻から、下校完了予想時刻を計算する。
【００２９】
データサーバ６は、無線読み取り装置５から、ネットワーク４を介して、児童ＩＤと登校完了時刻を受信した場合、ネットワーク４を介して、通報先端末７に、児童が登校を完了した旨を通知する登校完了通知を送信する。また、データサーバ６は、無線読み取り装置３から、ネットワーク４を介して、児童ＩＤと下校完了時刻を受信した場合、ネットワーク４を介して、通報先端末７に、児童が下校を完了した旨を通知する下校完了通知を送信する。
【００３０】
一方、データサーバ６は、無線読み取り装置５から、登校完了予想時刻を超えて所定の時間経過しても児童ＩＤと登校完了時刻を受信しない場合、ネットワーク４を介して、通報先端末７に、児童がまだ登校を完了していない旨を通知する緊急通知を送信する。また、データサーバ６は、無線読み取り装置３から、下校完了予想時刻を超えて所定の時間経過しても、児童ＩＤと下校完了時刻を受信しない場合、ネットワーク４を介して、通報先端末７に、児童がまだ下校を完了していない旨を通知する緊急通知を送信する。
【００３１】
図２を参照すると、データサーバ６が管理するデータの一例が示されている。
【００３２】
個人情報として、児童ＩＤのほか、児童氏名、住所、自宅電話番号、緊急連絡先、保護者のデータが管理されている。このほかにも、通報先端末７の電子メールアドレスが登録されていてもよい。
【００３３】
管理情報として、無線読み取り装置３から受信した登校開始時刻、この登校開始時刻と、行動情報登録装置２から受信した児童の行動予定にもとづいて計算した登校完了予想時刻、無線読み取り装置５から受信した登校完了時刻、無線読み取り装置５から受信した下校開始時刻、この下校開始時刻と、行動情報登録装置２から受信した児童の行動予定にもとづいて計算した下校完了予想時刻、無線読み取り装置５から受信した下校完了時刻が管理されている。
【００３４】
行動予定情報として、行動情報登録装置２から受信した児童の行動予定が、年月日ごとに管理されている。登校完了または下校完了までの行動予定と、その所要時間が管理されている。
【００３５】
データサーバ６は、この所要時間の合計から、登校完了予想時刻と下校完了予想時刻を計算する。図２では、登校完了までの行動予定の所要時間の合計は０時間であり、下校完了までの行動予定の所要時間の合計は３．１時間である。データサーバ６は、無線読み取り装置３から受信した登校開始時刻に、登校完了までの行動予定の所要時間の合計（０時間）と、児童が自宅から学校まで移動するのに要するおおよその時間α（αは、行動情報登録装置２からあらかじめ受信しているものとする）を加えることによって、登校完了予想時刻を計算する。また、データサーバ６は、無線読み取り装置５から受信した下校開始時刻に、下校完了までの行動予定の所要時間の合計（３．１時間）と、児童が自宅から学校まで移動するのに要するおおよその時間αを加えることによって、下校完了予想時刻を計算する。
【００３６】
以上の管理データは、日報・週報・月報として、通報先端末７に送信してもよい。
【００３７】
通報先端末７は、児童の自宅や保護者の職場に備えられる。また、保護者の所有する携帯端末でもよい。通報先端末７は、データサーバ６から、ネットワーク４を介して、登校完了通知、下校完了通知、緊急通知を受信する。
【００３８】
次に、本実施形態の児童防犯通報システムにおける処理の流れを、図３のシーケンス図を参照して詳細に説明する。
【００３９】
ステップ３０１で、行動情報登録装置２は、児童の保護者の入力により、児童ＩＤと児童の行動予定を、ネットワーク４を介してデータサーバ６に送信する。データサーバ６は、これを受信する。
【００４０】
ステップ３０２で、無線読み取り装置３は、児童の安全帽などに取り付けられた無線タグ装置１から、児童ＩＤを読み取る（このとき、児童は、無線読み取り装置３を通過し、登校を開始しようとしている）。無線読み取り装置３は、読み取った児童ＩＤと、児童ＩＤを読み取った時刻（登校開始時刻）を、ネットワーク４を介してデータサーバ６に送信する。データサーバ６は、これを受信する。
【００４１】
ステップ３０３で、データサーバ６は、ステップ３０１で受信した児童の行動予定と、ステップ３０２で受信した登校開始時刻をもとに、登校完了予想時刻を計算する。
【００４２】
ステップ３０４で、無線読み取り装置５は、児童の安全帽などに取り付けられた無線タグ装置１から、児童ＩＤを読み取る（このとき、児童は、無線読み取り装置５を通過し、登校を完了しようとしている）。無線読み取り装置５は、読み取った児童ＩＤと、児童ＩＤを読み取った時刻（登校完了時刻）を、ネットワーク４を介して、データサーバ６に送信する。
【００４３】
ステップ３０５で、データサーバ６は、無線読み取り装置５から、ネットワーク４を介して、児童ＩＤと登校完了時刻を受信する。データサーバ６は、無線読み取り装置５から児童ＩＤと登校完了時刻を受信すると、児童が登校を完了した旨の登校完了通知を、ネットワーク４を介して通報先端末７に送信する。
【００４４】
ステップ３０６で、通報先端末７は、データサーバ６から、ネットワーク４を介して登校完了通知を受信する。児童の保護者は、児童が無事に登校を完了したことを認識する。
【００４５】
ステップ３０７で、データサーバ６は、登校完了予想時刻を超えて所定の時間経過しても、無線読み取り装置５から児童ＩＤと登校完了時刻を受信しない場合、児童がまだ登校を完了していない旨を通知する緊急通知を、ネットワーク４を介して通報先端末７に送信する。
【００４６】
ステップ３０８で、通報先端末７は、データサーバ６から、ネットワーク４を介して緊急通知を受信する。児童の保護者は、児童がまだ登校を完了していないことを認識する。
【００４７】
ステップ３０９で、無線読み取り装置５は、児童の安全帽などに取り付けられた無線タグ装置１から、児童ＩＤを読み取る（このとき、児童は、無線読み取り装置５を通過し、下校を開始しようとしている）。無線読み取り装置５は、読み取った児童ＩＤと、児童ＩＤを読み取った時刻（下校開始時刻）を、ネットワーク４を介してデータサーバ６に送信する。データサーバ６は、これを受信する。
【００４８】
ステップ３１０で、データサーバ６は、ステップ３０１で受信した児童の行動予定と、ステップ３０９で受信した下校開始時刻をもとに、下校完了予想時刻を計算する。
【００４９】
ステップ３１１で、無線読み取り装置３は、児童の安全帽などに取り付けられた無線タグ装置１から、児童ＩＤを読み取る（このとき、児童は、無線読み取り装置３を通過し、下校を完了しようとしている）。無線読み取り装置３は、読み取った児童ＩＤと、児童ＩＤを読み取った時刻（下校完了時刻）を、ネットワーク４を介してデータサーバ６に送信する。
【００５０】
ステップ３１２で、データサーバ６は、無線読み取り装置３から、ネットワーク４を介して児童ＩＤと下校完了時刻を受信する。データサーバ６は、無線読み取り装置３から児童ＩＤと下校完了時刻を受信すると、児童が下校を完了した旨の下校完了通知を、ネットワーク４を介して通報先端末７に送信する。
【００５１】
ステップ３１３で、通報先端末７は、データサーバ６から、ネットワーク４を介して下校完了通知を受信する。児童の保護者は、児童が無事に下校を完了したことを認識する。
【００５２】
ステップ３１４で、データサーバ６は、下校完了予想時刻を超えて所定の時間経過しても、無線読み取り装置３からネットワーク４を介して児童ＩＤと下校完了時刻を受信しない場合、児童がまだ下校を完了していない旨を通知する緊急通知を、ネットワーク４を介して通報先端末７に送信する。
【００５３】
ステップ３１５で、通報先端末７は、データサーバ６から、ネットワーク４を介して緊急通知を受信する。児童の保護者は、児童がまだ下校を完了していないことを認識する。
【００５４】
なお、本発明を、児童に対する防犯を目的とするものとして説明したが、児童に限らず、事理弁識能力を欠く常況に至った人などに対する防犯を目的とするものとして用いてもよい。
【００５５】
データサーバ６は、専用のハードウェアにより実現する以外に、その機能を実現するためのプログラムを、コンピュータ読み取りが可能な記録媒体に記録して、この記録媒体に記録されたプログラムをデータサーバ６となるべきコンピュータシステムに読み込ませて実行することにより、実現するものでもよい。コンピュータ読み取りが可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取りが可能な記録媒体とは、インターネットを介してプログラムを送信する場合のように、短時間の間に、動的にプログラムを保持するもの（伝送媒体もしくは伝送波）、コンピュータシステム内部の揮発性メモリのように、一定時間プログラムを保持しているものも含む。
【図面の簡単な説明】
【００５６】
【図１】本発明の一実施形態の児童防犯通報システムの構成を示した図である。
【図２】データサーバ６で管理されるデータの一例である。
【図３】本発明の一実施形態の児童防犯通報システムにおける処理の流れを示したシーケンス図である。
【符号の説明】
【００５７】
１  無線タグ装置
２  行動情報登録装置
３  無線読み取り装置
４  ネットワーク
５  無線読み取り装置
６  データサーバ
７  通報先端末
３０１〜３１５  ステップ
【図１】
2005182469.tif 000003
【図２】
2005182469.tif 000004
【図３】
2005182469.tif 000005